(57)【要約】  光学レンズアセンブリは、５つのレンズ素子を備え、ＴＴＬ／ＥＦＬ＜１．０を提供する。一実施形態において、第１レンズ素子の焦点距離ｆ１は、ＴＴＬの二分の一より小さく、第１レンズ素子と第２レンズ素子の間のエアギャップは第２レンズ素子の厚みの二分の一よりも小さく、第３レンズ素子と第４レンズ素子の間のエアギャップはＴＴＬの五分の一よりも大きく、第４レンズ素子と第５レンズ素子の間のエアギャップは上記第５レンズ素子の厚みの１．５倍よりも小さい。すべてのレンズ素子に非球面レンズを用いてもよい。
2016523389.tif 000002
【特許請求の範囲】
【請求項１】
被写体側から画像側の順に、
（ａ）正の屈折力を有し、凸の被写体側の面を有する第１レンズ素子と、
（ｂ）負の屈折力を有し、光軸上に厚みｄ２を有し、第１エアギャップによって上記第１レンズ素子から離れている第２レンズ素子と、
（ｃ）負の屈折力を有し、第２エアギャップによって上記第２レンズ素子から離れている第３レンズ素子と、
（ｄ）正の屈折力を有し、第３エアギャップによって上記第３レンズ素子から離れている第１エアギャップによって上記第１レンズ素子から離れている第４レンズ素子と、
（ｅ）負の屈折力を有し、上記光軸上に厚みｄ５を有し、第４エアギャップによって上記第４レンズ素子から離れている第５レンズ素子と、
を備え、
光学レンズアセンブリを備える光学レンズシステムの実効焦点距離（ＥＦＬ）と総飛跡長（ＴＴＬ）との比率が１．０よりも小さく、
上記第１レンズ素子の焦点距離ｆ１はＴＴＬの二分の一よりも小さく、
上記第３エアギャップはＴＴＬの五分の一より大きいことを特徴とする光学レンズアセンブリ。
【請求項２】
上記第１レンズ素子は、凸の被写体側の面と、凸あるいは凹の画像側の面を備え、
上記第２レンズ素子は、メニスカスの凸の被写体側の面を備え、
上記第４レンズ素子は、正のメニスカスおよび凹の被写体側の面を有し、
上記第５レンズ素子は、負のメニスカスおよび凹の被写体側の面を有し、
上記第４エアギャップはｄ５の１．５倍よりも小さいことを特徴とする請求項１に記載の光学レンズアセンブリ。
【請求項３】
上記第１、第３、第５レンズ素子のそれぞれのアッベ数は５０よりも大きく、
上記第２、第４レンズ素子それぞれのアッベ数は３０よりも小さいことを特徴とする請求項１に記載の光学レンズアセンブリ。
【請求項４】
上記第１レンズ素子は、凸の被写体側の面と凸あるいは凹の画像側の面を備え、
上記第２レンズ素子は、メニスカスの凸の被写体側の面を備え、
上記第４レンズ素子は、正のメニスカスおよび凹の被写体側の面を有し、
上記第５レンズ素子は、負のメニスカスおよび凹の被写体側の面を有し、
上記第４エアギャップはｄ５の１．５倍よりも小さいことを特徴とする請求項３に記載の光学レンズアセンブリ。
【請求項５】
上記第１エアギャップはｄ２の二分の一よりも小さいことを特徴とする請求項３に記載の光学レンズアセンブリ。
【請求項６】
上記第１レンズ素子は、凸の被写体側の面と凸あるいは凹の画像側の面を備え、
上記第２レンズ素子は、メニスカスの凸の被写体側の面を備え、
上記第４レンズ素子は、正のメニスカスおよび凹の被写体側の面を有し、
上記第５レンズ素子は、負のメニスカスおよび凹の被写体側の面を有し、
上記第４エアギャップはｄ５の１．５倍よりも小さいことを特徴とする請求項５に記載の光学レンズアセンブリ。
【請求項７】
すべてのレンズ素子はプラスチック製であることを特徴とする請求項１に記載の光学レンズアセンブリ。
【請求項８】
上記第１レンズ素子はガラス製であり、他のすべてのレンズ素子はプラスチック製であることを特徴とする請求項１に記載の光学レンズアセンブリ。
【請求項９】
上記第２レンズ素子はガラス製であり、他のすべてのレンズ素子はプラスチック製であることを特徴とする請求項１に記載の光学レンズアセンブリ。
【請求項１０】
Ｆ値が３．２よりも小さいことを特徴とする請求項１に記載の光学レンズアセンブリ。
【請求項１１】
Ｆ値が３．２よりも小さいことを特徴とする請求項３に記載の光学レンズアセンブリ。
【請求項１２】
Ｆ値が３．２よりも小さいことを特徴とする請求項５に記載の光学レンズアセンブリ。
【請求項１３】
すべてのレンズ素子が非球面レンズであることを特徴とする請求項１に記載の光学レンズアセンブリ。
【請求項１４】
すべてのレンズ素子が非球面レンズであることを特徴とする請求項３に記載の光学レンズアセンブリ。
【請求項１５】
すべてのレンズ素子が非球面レンズであることを特徴とする請求項５に記載の光学レンズアセンブリ。
【請求項１６】
ｆ１、上記第２レンズ素子の焦点距離ｆ２および上記第３レンズ素子の焦点距離ｆ３が、
１．２×｜ｆ３｜＞｜ｆ２｜＞１．５×ｆ１
を満たすことを特徴とする請求項１に記載の光学レンズアセンブリ。
【請求項１７】
ｆ１、上記第２レンズ素子の焦点距離ｆ２および上記第３レンズ素子の焦点距離ｆ３が、
１．２×｜ｆ３｜＞｜ｆ２｜＞１．５×ｆ１
を満たすことを特徴とする請求項２に記載の光学レンズアセンブリ。
【請求項１８】
ｆ１、上記第２レンズ素子の焦点距離ｆ２および上記第３レンズ素子の焦点距離ｆ３が、
１．２×｜ｆ３｜＞｜ｆ２｜＞１．５×ｆ１
を満たすことを特徴とする請求項３に記載の光学レンズアセンブリ。
【請求項１９】
ｆ１、上記第２レンズ素子の焦点距離ｆ２および上記第３レンズ素子の焦点距離ｆ３が、
１．２×｜ｆ３｜＞｜ｆ２｜＞１．５×ｆ１
を満たすことを特徴とする請求項５に記載の光学レンズアセンブリ。
【請求項２０】
ＥＦＬ＝６．８４ｍｍ、Ｆ＃＝２．８０およびＴＴＬ＝５．９０ｍｍであることを特徴とする請求項１に記載の光学レンズアセンブリ。
【発明の詳細な説明】
【発明の詳細な説明】
【０００１】
〔関連出願のクロスリファレンス〕
本願は、２０１３年７月４日出願の同名称の米国仮特許出願第６１／８４２，９８７号の請求項に関連し、その優先権を主張するものである。上記出願を本願全体に引用して援用する。
【０００２】
〔技術分野〕
ここに記載の実施形態は、光学レンズシステムとレンズアセンブリに関し、特に、このようなシステムに含まれて携帯電話などの携帯電子機器に使用される小型望遠レンズアセンブリに関する。
【０００３】
〔背景技術〕
種々のホスト装置にはデジタルカメラ機能が搭載されている。このようなホスト装置は、携帯電話、携帯情報端末（ＰＤＡ）、コンピュータ等を含む。このようなホスト装置におけるデジタルカメラへの消費者の需要は増加を続けている。特に、携帯電話機器におけるカメラは、高品質の画像作成のための、かつ、総飛跡長(total track length)（ＴＴＬ）の短い、コンパクトな画像レンズシステムが要する。４つのレンズ素子を有する従来のレンズアセンブリは、このような機器における高品質の画像作成には不十分である。米国特許第８，３９５，８５１号のような近年のレンズアセンブリ設計は、５つのレンズ素子を備えている。しかしながら、米国特許第８，３９５，８５１号の設計では、ＴＴＬと実効焦点距離(effective focal length)（ＥＦＬ）の比率が大きすぎるという問題がある。
【０００４】
そのため、当該技術分野においては、ＴＴＬ／ＥＦＬの比率が小さく、従来のレンズアセンブリよりも高品質な画質作成が可能な、５つのレンズ素子を有する光学レンズアセンブリが求められてきた。
【０００５】
〔発明の概要〕
ここに記載の実施形態は、被写体側から画像側の順に、（ａ）正の屈折力を有し、凸の被写体側の面を有する第１レンズ素子と、（ｂ）負の屈折力を有し、光軸上に厚みｄ２を有し、第１エアギャップによって上記第１レンズ素子から離れている第２レンズ素子と、（ｃ）負の屈折力を有し、第２エアギャップによって上記第２レンズ素子から離れている第３レンズ素子と、（ｄ）正の屈折力を有し、第３エアギャップによって上記第３レンズ素子から離れている第１エアギャップによって上記第１レンズ素子から離れている第４レンズ素子と、（ｅ）負の屈折力を有し、上記光軸上に厚みｄ５を有し、第４エアギャップによって上記第４レンズ素子から離れている第５レンズ素子と、を備えている光学レンズアセンブリに関する。
【０００６】
上記レンズアセンブリを備える光学レンズシステムは、さらに、第１レンズ素子の前方に絞り(stop)を備えてもよい。また、第５レンズ素子の画像側の面と、被写体の画像を形成する画像面を有する画像センサーとの間にガラスウィンドウを備えてもよい。
【０００７】
ＴＴＬは、第１レンズ素子の被写体側の面と画像センサーの間の光軸上の距離を指す。”ＥＦＬ”においては、一般的な定義を採用する。すべての実施形態において、ＴＴＬはＥＦＬよりも小さい。すなわち、ＴＴＬ／ＥＦＬの比率は１．０よりも小さい。また、実施形態のうち、ＴＴＬ／ＥＦＬの比率が０．９よりも小さい場合もある。一実施形態では、ＴＴＬ／ＥＦＬの比率は約０．８５である。すべての実施形態において、上記レンズアセンブリのＦ値であるＦ＃は３．２よりも小さい。一実施形態では、第１レンズ素子の焦点距離ｆ１はＴＴＬの二分の一よりも小さく、第１、第３および第５レンズ素子それぞれのアッベ数（”Ｖｄ”）は５０よりも大きく、第２および第４レンズ素子それぞれのアッベ数は３０よりも小さく、第１エアギャップはｄ２の半分よりも小さく、第３のエアギャップはＴＴＬの五分の一よりも大きく、第４エアギャップはｄ５の１．５倍よりも小さい。また、実施形態のうち、レンズ素子の表面は非球面であってもよい。
【０００８】
ここに記載の光学レンズアセンブリにおいて、正の屈折力を有する第１レンズ素子によって、当該レンズシステムのＴＴＬは好適に減少する。第１、第２および第３レンズ素子を組み合わせた設計において、それぞれの間の距離が短くすることにより、ＥＦＬを長く、ＴＴＬを短くすることができる。同じ組み合わせに、第２レンズ素子の分散が高いこと（低Ｖｄ）と、第１および第３レンズ素子の分散が低いこと（高Ｖｄ）を加えると、色収差を低減するのに役立つ。特に、１．２×｜ｆ３｜＞｜ｆ２｜＞１．５×ｆ１の条件を満たすことで、ＴＴＬ／ＥＦＬの比率が１．０よりも小さいことと、色収差を最小にすることができる。ここで、“ｆ”はレンズ素子の実効焦点距離を示し、各番号１，２，３，４，５はレンズ素子の番号を指す。
【０００９】
第３レンズ素子と第４レンズ素子の間の距離を比較的大きくし、これに第４、第５レンズ素子を組み合わせた設計を加えると、すべての視野（視界）(field)の焦点を画像面へ運ぶのに役立つ。また、第４、第５レンズ素子の分散が互いに異なり、それぞれが正力(positive power)、負力(negative power)を有するため、色収差を最小に抑えるのに役立つ。
【００１０】
〔図面の簡単な説明〕
図１Ａは、本発明に係る光学レンズシステムの第１実施形態を示す図である。
【００１１】
図１Ｂは、第１実施形態の種々の視野に対する光学レンズアセンブリ全体の光学的伝達関数の係数（ＭＴＦ）と焦点移動とを示す図である。
【００１２】
図１Ｃは、第１実施形態の画角とパーセント表記の歪曲（＋Ｙ方向）とを示す図である。
【００１３】
図２Ａは、本発明に係る光学レンズシステムの第２実施形態を示す図である。
【００１４】
図２Ｂは、第２実施形態の種々の視野に対する光学レンズアセンブリ全体のＭＴＦと焦点移動とを示す図である。
【００１５】
図２Ｃは、第２実施形態のパーセント表記の歪曲＋Ｙ方向を示す図である。
【００１６】
図３Ａは、本発明に係る光学レンズシステムの第３実施形態を示す図である。
【００１７】
図３Ｂは、第３実施形態の種々の視野に対する光学レンズアセンブリ全体のＭＴＦと焦点移動とを示す図である。
【００１８】
図３Ｃは、第３実施形態のパーセント表記の歪曲＋Ｙ方向を示す図である。
【００１９】
〔発明の詳細な実施形態〕
以下の説明では、レンズ素子の表面形状（凸あるいは凹）について、各側（すなわち、被写体側あるいは画像側）から見た形状を記載する。図１Ａは、本発明に係る光学レンズシステムの第１実施形態を示し、これを実施形態１００と称する。図１Ｂは、実施形態１００の種々の視野に対する光学レンズシステム全体のＭＴＦと焦点移動とを示す。図１Ｃは、パーセント表記の歪曲＋Ｙ方向と視野とを示す。実施形態１００は、被写体側から画像側の順に：随意的な絞り１０１；正の屈折力を有し、凸の被写体側の面１０２ａと、凸あるいは凹の画像側の面１０２ｂとを有する第１プラスチックレンズ素子１０２と、負の屈折力を有し、メニスカスの凸の被写体側の面１０４ａと、画像側の面１０４ｂとを有する第２プラスチックレンズ素子１０４と、負の屈折力を有し、変曲点のある凹の被写体側の面１０６ａと、凹の画像側の面１０６ｂとを有する第３プラスチックレンズ素子１０６と、正の屈折力を有し、正のメニスカスおよび凹の被写体側の面１０８ａと、画像側の面１０８ｂとを有する第４プラスチックレンズ素子１０８と、負の屈折力を有し、負のメニスカスおよび凹の被写体側の面１１０ａと、画像側の面１１０ｂとを有する第５プラスチックレンズ素子１１０と、を有する。光学レンズシステムは、第５レンズ素子１１０の画像側の面１１０ｂと、被写体の画像形成を行う画像面１１４との間に、随意的なガラスウィンドウ１１２をさらに備えている。また、画像形成を行うために、画像面１１４には、画像センサー（図示しない）が配置されている。
【００２０】
実施形態１００では、すべてのレンズ素子の面が非球面である。光学的データの詳細を表１に、非球面データを表２に示す。曲率半径（Ｒ）、レンズ素子の厚み、および／または、光軸に沿った素子間距離、および直径をミリメートル（ｍｍ）単位で表す。”Ｎｄ”は屈折率である。非球面形状の方程式は以下のように表される：
【００２１】
【数１】
2016523389.tif 000003
【００２２】
ここで、ｒは光軸からの、光軸に対して垂直な距離を示し、ｋは円錐係数(conic coefficient)を示す。また、ｃ＝１／Ｒであり、ここでＲは曲率半径を、αは表２の係数を示す。ここに記載のレンズアセンブリの実施形態に適用されるような上記方程式において、係数α１とα７は０である。ここで、ｒの最大値（“ｍａｘ  ｒ”）は、直径の二分の一であることに注意されたい。また、表１（下記の表３および表５も同様）において、種々の素子（および／または表面）間の距離を”Ｌｍｎ”と称し、ここで、ｍはレンズ素子番号を示し、ｎ＝１は構成の厚みを示し、ｎ＝２は隣接するレンズ素子とのエアギャップを示し、この距離Ｌｍｎは、ｚ＝０に絞りがある光軸ｚ上で測定される。各値は、それぞれの前方に位置する面から測定した値とする。したがって、例えば、第１距離−０．４６６ｍｍは、絞りから面１０２ａまでの距離であり、面１０２ａから面１０２ｂまでの距離Ｌ１１（すなわち、第１レンズ素子１０２の厚み）は０．８９４ｍｍであり、面１０２ｂから面１０４ａまでのギャップＬ１２は０．０２０ｍｍであり、面１０４ａから面１０４ｂまでの距離Ｌ２１（すなわち、第２レンズ素子１０４の厚みｄ２）は０．２４６ｍｍである。また、Ｌ２１＝ｄ２であり、Ｌ５１＝ｄ５である。
【００２３】
【表１】
2016523389.tif 000004
【００２４】
【表２】
2016523389.tif 000005
【００２５】
実施形態１００では、視野（ＦＯＶ）が４４度、ＥＦＬ＝６．９０ｍｍ、Ｆ＃＝２．８０およびＴＴＬ＝５．９０４ｍｍである。これにより、また、有利には、ＴＴＬ／ＥＦＬ比率＝０．８５５である。有利には、第１、第３、第５レンズ素子のアッベ数は５７．０９５である。有利には、レンズ素子１０２と１０４の間の第１エアギャップ（面１０２ｂと面１０４ａとの間のギャップ）は、厚みｄ２（０．２４６ｍｍ）の十分の一以下の厚み（０．０２０ｍｍ）を有する。有利には、第２、第４レンズ素子のアッベ数は２３．９１である。有利には、レンズ素子１０６と１０８の間の第３エアギャップは、ＴＴＬ／５（５．９０４／５  ｍｍ）よりも大きい厚み（２．０２０ｍｍ）を有する。有利には、レンズ素子１０８と１１０の間の第４エアギャップは、ｄ５の１．５倍（０．４３９５ｍｍ）よりも小さい厚み（０．０６８ｍｍ）を有する。
【００２６】
実施形態１００における各レンズの焦点距離（ｍｍ表記）は、ｆ１＝２．６４５、ｆ２＝−５．５７８、ｆ３＝−８．７８４、ｆ４＝９．５５０およびｆ５＝−５．２９０である。１．２×８．７８７＞５．５７８＞１．５×２．６４５であるので、１．２×｜ｆ３｜＞｜ｆ２｜＜１．５×ｆ１の条件を確実に満たし、２．６４５＜２．９５２であるので、ｆ１は、ｆ１＜ＴＴＬ／２の条件も満たす。
【００２７】
図２Ａは、本発明に係る光学レンズシステムの第２実施形態を示し、これを実施形態２００と称する。図２Ｂは、実施形態２００の種々の視野に対する光学レンズシステム全体のＭＴＦと焦点移動とを示す。図２Ｃは、パーセント表記の歪曲＋Ｙ方向と視野とを示す。実施形態２００は、被写体側から画像側の順に：随意的な絞り２０１；正の屈折力を有し、凸の被写体側の面２０２ａと、凸あるいは凹の画像側の面２０２ｂとを有する第１プラスチックレンズ素子２０２と、負の屈折力を有し、メニスカスの凸の被写体側の面２０４ａと、画像側の面２０４ｂとを有する第２ガラスレンズ素子２０４と、負の屈折力を有し、変曲点のある凹の被写体側の面２０６ａと、凹の画像側の面２０６ｂとを有する第３プラスチックレンズ素子２０６と、正の屈折力を有し、正のメニスカスおよび凹の被写体側の面２０８ａと、画像側の面２０８ｂとを有する第４プラスチックレンズ素子２０８と、負の屈折力を有し、負のメニスカスおよび凹の被写体側の面１１０ａと、画像側の面２１０ｂとを有する第５プラスチックレンズ素子２１０と、を有する。光学レンズシステムは、第５レンズ素子２１０の画像側の面２１０ｂと、被写体の画像形成を行う画像面２１４との間に、随意的なガラスウィンドウ２１２をさらに備えている。
【００２８】
実施形態２００では、すべてのレンズ素子の面が非球面である。光学的データの詳細を表３に、非球面データを表４に示し、番号や単位はそれぞれ表１および２と同様である。また、非球面形状の方程式も、実施形態１００と同様である。
【００２９】
【表３】
2016523389.tif 000006
【００３０】
【表４】
2016523389.tif 000007
【００３１】
実施形態２００においては、ＦＯＶが４３．４８度、ＥＦＬ＝７ｍｍ、Ｆ＃＝２．８６およびＴＴＬ＝５．９０ｍｍである。これにより、また、有利には、ＴＴＬ／ＥＦＬ比率＝０．８４３である。有利には、第１、第３、第５レンズ素子のアッベ数は５６．１８である。有利には、レンズ素子２０２と２０４の間の第１エアギャップは、厚みｄ２（０．２５１ｍｍ）の約半分の厚みの（０．１２９ｍｍ）を有する。有利には、第２レンズ素子のアッベ数は２０．６５であり、第４レンズ素子のアッベ数は２３．３５である。有利には、レンズ素子２０６と２０８の間の第３エアギャップは、ＴＴＬ／５（５．９０４／５  ｍｍ）よりも大きい厚み（１．７６６ｍｍ）を有する。有利には、レンズ素子２０８と２１０の間の第４エアギャップは、ｄ５の１．５倍（０．４９５ｍｍ）よりも小さい厚み（０．１０６ｍｍ）を有する。
【００３２】
実施形態２００における各レンズの焦点距離（ｍｍ表記）は、ｆ１＝２．８５１、ｆ２＝−５．４６８、ｆ３＝−１０．２７９、ｆ４＝７．３６８およびｆ５＝−４．５３６である。１．２×１０．２７９＞５．４６８＞１．５×２．８５１であるので、１．２×｜ｆ３｜＞｜ｆ２｜＜１．５×ｆ１の条件を確実に満たし、２．８５１＜２．９５０であるので、ｆ１は、ｆ１＜ＴＴＬ／２の条件も満たす。
【００３３】
図３Ａは、本発明に係る光学レンズシステムの第３実施形態を示し、これを実施形態３００と称する。図３Ｂは、実施形態３００の種々の視野に対する光学レンズシステム全体のＭＴＦと焦点移動とを示す。図３Ｃは、パーセント表記の歪曲＋Ｙ方向と視野とを示す。実施形態３００は、被写体側から画像側の順に：随意的な絞り３０１；正の屈折力を有し、凸の被写体側の面３０２ａと、凸あるいは凹の画像側の面３０２ｂとを有する第１ガラスレンズ素子３０２と、負の屈折力を有し、メニスカスの凸の被写体側の面３０４ａと、画像側の面３０４ｂとを有する第２プラスチックレンズ素子３０４と、負の屈折力を有し、変曲点のある凹の被写体側の面３０６ａと、凹の画像側の面３０６ｂとを有する第３プラスチックレンズ素子３０６と、正の屈折力を有し、正のメニスカスおよび凹の被写体側の面３０８ａと、画像側の面３０８ｂとを有する第４プラスチックレンズ素子３０８と、負の屈折力を有し、負のメニスカスおよび凹の被写体側の面１１０ａと、画像側の面３１０ｂとを有する第５プラスチックレンズ素子３１０と、を有する。光学レンズシステムは、第５レンズ素子３１０の画像側の面３１０ｂと、被写体の画像形成を行う画像面３１４との間に、随意的なガラスウィンドウ３１２をさらに備えている。
【００３４】
実施形態３００では、すべてのレンズ素子の面が非球面である。光学的データの詳細を表５に、非球面データを表６に示し、番号や単位はそれぞれ表１および２と同様である。また、非球面形状の方程式も、実施形態１００および２００と同様である。
【００３５】
【表５】
2016523389.tif 000008
【００３６】
【表６】
2016523389.tif 000009
【００３７】
実施形態３００においては、ＦＯＶが４４度、ＥＦＬ＝６．８４ｍｍ、Ｆ＃＝２．８０およびＴＴＬ＝５．９０４ｍｍである。これにより、また、有利には、ＴＴＬ／ＥＦＬ比率＝０．８６３である。有利には、第１レンズ素子のアッベ数は６３．１であり、第３、第５レンズ素子のアッベ数は５７．０９となる。レンズ素子３０２と３０４の間の第１エアギャップは、厚みｄ２（０．２５４ｍｍ）の約十分の一である厚み（０．０２９ｍｍ）を有する。有利には、第２、第４レンズ素子のアッベ数は２３．９１である。有利には、レンズ素子３０６と３０８の間の第３エアギャップは、ＴＴＬ／５（５．９０４／５  ｍｍ）よりも大きい厚み（１．９９８ｍｍ）を有する。有利には、レンズ素子２０８と２１０の間の第４エアギャップは、ｄ５の１．５倍（０．６４６５ｍｍ）よりも小さい厚み（０．１２１ｍｍ）を有する。
【００３８】
実施形態３００における各レンズの焦点距離（ｍｍ表記）は、ｆ１＝２．６８７、ｆ２＝−６．０１６、ｆ３＝−６．７７７、ｆ４＝８．０２６およびｆ５＝−５．０９０である。１．２×６．７７７＞６．０１６＞１．５×２．６８７であるので、１．２×｜ｆ３｜＞｜ｆ２｜＜１．５×ｆ１の条件を確実に満たし、２．６８７＜２．９５２であるので、ｆ１は、ｆ１＜ＴＴＬ／２の条件も満たす。
【００３９】
本開示は、特定の実施形態および一般的に関連する方法について述べたが、実施形態および方法の変更や置換は当業者には明らかである。本開示は、ここに開示の特定の実施形態によって限定されず、添付の特許請求の範囲によってのみ限定されると理解すべきである。
【図面の簡単な説明】
【００４０】
【図１Ａ】本発明に係る光学レンズシステムの第１実施形態を示す図である。
【図１Ｂ】第１実施形態の種々の視野に対する光学レンズアセンブリ全体の光学的伝達関数の係数（ＭＴＦ）と焦点移動とを示す図である。
【図１Ｃ】第１実施形態の画角とパーセント表記の歪曲（＋Ｙ方向）とを示す図である。
【図２Ａ】本発明に係る光学レンズシステムの第２実施形態を示す図である。
【図２Ｂ】第２実施形態の種々の視野に対する光学レンズアセンブリ全体のＭＴＦと焦点移動とを示す図である。
【図２Ｃ】第２実施形態のパーセント表記の歪曲＋Ｙ方向を示す図である。
【図３Ａ】本発明に係る光学レンズシステムの第３実施形態を示す図である。
【図３Ｂ】第３実施形態の種々の視野に対する光学レンズアセンブリ全体のＭＴＦと焦点移動とを示す図である。
【図３Ｃ】第３実施形態のパーセント表記の歪曲＋Ｙ方向を示す図である。
【図１Ａ】
2016523389.tif 000010
【図１Ｂ】
2016523389.tif 000011
【図１Ｃ】
2016523389.tif 000012
【図２Ａ】
2016523389.tif 000013
【図２Ｂ】
2016523389.tif 000014
【図２Ｃ】
2016523389.tif 000015
【図３Ａ】
2016523389.tif 000016
【図３Ｂ】
2016523389.tif 000017
【図３Ｃ】
2016523389.tif 000018
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
レンズアセンブリは、光軸に沿って設けられた複数の屈折レンズ素子を有し、
複数のレンズ素子のうちの少なくとも一つの素子の少なくとも一つの面が非球面であり、
レンズアセンブリは、実効焦点距離（ＥＦＬ）を有し、
レンズアセンブリは、６．５ｍｍ以下の総飛跡長（ＴＴＬ）および１．０よりも小さいＴＴＬ／ＥＦＬの比率を有する
ことを特徴とするレンズアセンブリ。
【請求項２】
複数の上記レンズ素子は、被写体側から画像側の順に、
正の屈折力を有する第１レンズ素子、
負の屈折力を有する第２レンズ素子、
第３レンズ素子、および
第４レンズ素子を備え、
上記第３レンズ素子と第４レンズ素子が、ＴＴＬの五分の一よりも大きいエアギャップによって離れ、
上記第１レンズ素子の焦点距離ｆ１は、ＴＴＬの二分の一よりも小さい、
ことを特徴とする請求項１に記載のレンズアセンブリ。
【請求項３】
複数の上記レンズ素子は、第５レンズ素子をさらに備え、
上記第４レンズ素子は正の屈折力を有し、
上記第５レンズ素子は負の屈折力を有する、
ことを特徴とする請求項２に記載のレンズアセンブリ。
【請求項４】
上記第３レンズ素子は負の屈折力を有し、
上記第４レンズ素子と第５レンズ素子が、ＴＴＬの二十分の一よりも小さいエアギャップによって離れている、
ことを特徴とする請求項３に記載のレンズアセンブリ。
【請求項５】
レンズアセンブリのＦ＃が２．９よりも小さいことを特徴とする請求項４に記載のレンズアセンブリ。
【請求項６】
第１レンズ素子のアッベ数が５０よりも大きく、
第２レンズ素子のアッベ数が３０よりも小さいことを特徴とする請求項５に記載のレンズアセンブリ。
【請求項７】
上記第４レンズ素子のアッベ数が３０よりも小さく、
上記第５レンズ素子のアッベ数が５０よりも大きく、
これにより、色収差を補償し、すべての視野の焦点を画像面へ運ぶのに役立つことを特徴とする請求項６に記載のレンズアセンブリ。
【請求項８】
上記第１レンズ素子は、凸の被写体側の面および凸または凹の画像側の面を有し、
上記第２レンズ素子は、凸の被写体側の面を備えるメニスカスレンズであることを特徴とする請求項７に記載のレンズアセンブリ。
【請求項９】
焦点距離ｆ１，上記第２レンズ素子の焦点距離ｆ２および上記第３レンズ素子の焦点距離ｆ３が、
１．２×｜ｆ３｜＞｜ｆ２｜＞１．５×ｆ１
を満たすことを特徴とする請求項８に記載のレンズアセンブリ。
【請求項１０】
第３、第４および第５レンズ素子がプラスチック製であることを特徴とする請求項９に記載のレンズアセンブリ。
【請求項１１】
すべてのレンズ素子がプラスチック製であることを特徴とする請求項７に記載のレンズアセンブリ。
【請求項１２】
レンズアセンブリが５つのプラスチック製レンズ素子を備え、
ＴＴＬが６．０ｍｍ以下であることを特徴とする請求項１に記載のレンズアセンブリ。
【請求項１３】
複数の上記レンズ素子は、被写体側から画像側の順に、
正の屈折力を有する第１レンズ素子、
負の屈折力を有する第２レンズ素子、
負の屈折力を有する第３レンズ素子、
第４レンズ素子、および
第５レンズ素子を備え、
上記第４レンズ素子と上記第５レンズ素子のうちの一方が正の屈折力を有し、他方が負の屈折力を有し、
上記第４レンズ素子と第５レンズ素子が、ＴＴＬの二十分の一よりも小さい第２エアギャップによって離れている、
ことを特徴とする請求項１に記載のレンズアセンブリ。
【請求項１４】
上記第１レンズ素子の焦点距離ｆ１は、ＴＴＬの二分の一よりも小さいことを特徴とする請求項１３に記載のレンズアセンブリ。
【請求項１５】
レンズアセンブリのＦ＃が２．９よりも小さいことを特徴とする請求項１４に記載のレンズアセンブリ。
【請求項１６】
上記第１レンズ素子のアッベ数が５０よりも大きく、
上記第２レンズ素子のアッベ数が３０よりも小さいことを特徴とする請求項１５に記載のレンズアセンブリ。
【請求項１７】
上記第４レンズ素子と上記第５レンズ素子のうち正の屈折力を有するほうのアッベ数が３０よりも小さく、
上記第４レンズ素子と上記第５レンズ素子のうち負の屈折力を有するほうのアッベ数が５０よりも大きく、
これにより、色収差を補償し、すべての視野の焦点を画面へ運ぶのに役立つことを特徴とする請求項１６に記載のレンズアセンブリ。
【請求項１８】
上記第１レンズ素子は、凸の被写体側の面および凸または凹の画像側の面を有し、
上記第２レンズ素子は、凸の被写体側の面を備えたメニスカスレンズであることを特徴とする請求項１７に記載のレンズアセンブリ。
【請求項１９】
焦点距離ｆ１，上記第２レンズ素子の焦点距離ｆ２および上記第３レンズ素子の焦点距離ｆ３が、
１．２×｜ｆ３｜＞｜ｆ２｜＞１．５×ｆ１
を満たすことを特徴とする請求項１８に記載のレンズアセンブリ。
【請求項２０】
第３、第４および第５レンズ素子がプラスチック製であることを特徴とする請求項１７に記載のレンズアセンブリ。
【請求項２１】
レンズアセンブリが、実効焦点距離（ＥＦＬ）よりも小さい総飛跡長（ＴＴＬ）を有し、
レンズアセンブリが、異なるアッベ数を有する少なくとも二つの異なるプラスチック素材からなる複数のレンズ素子を有し、
上記複数のレンズ素子は、レンズアセンブリの光軸に沿って、被写体側から画像側の順に、正の光強度(positive optical power)を有する第１レンズ素子と、負の光強度(negative optical power)をそれぞれ有する第２レンズと第３レンズとの対とを含んでおり、
第１、第２、第３レンズ素子の組み合せによってレンズアセンブリのＴＴＬ／ＥＦＬの比率が１よりも小さく、
上記第２、第３レンズ素子はそれぞれ、異なるアッベ数を有する少なくとも二つの異なるプラスチック素材からなり、これによりレンズアセンブリの色収差を低減し、
上記複数のレンズ素子はさらに、すべての視野の焦点を画面へ運ぶのに役立つように構成された第４レンズ素子と第５レンズ素子との組み合せを備え、
上記第３レンズ素子と第４レンズ素子が、ＴＴＬの五分の一よりも大きいエアギャップによって離れ、
上記第４レンズ素子と第５レンズ素子が、それぞれ、異なるアッベ数を有する少なくとも二つの異なるプラスチック素材からなり、レンズアセンブリの色収差をさらに低減する、
ことを特徴とするレンズアセンブリ。
【国際調査報告】
2016523389.tif 000019